(57)【要約】【課題】  いつでもどこでも、ナプキン機能のあるものを適正位置で保持使用することができ、見た目にもオシャレな、各種アクセサリーや多種多様な多目的での利用も可能な衣類の汚れ防止のためのホルダーを提供する。【解決手段】  取りはずし交換ができる接続具で、ハンカチ、タオル、ナプキン類等汚れ防止の役目をはたすことのできるものや衣類を把持し得る把持具と連結具、把持具同士、把持具と係止具を取りつけて構成される衣類の汚れ防止用ホルダーとしての利用の他、そのままでも、または把持具部分を取りはずし交換して、ネックレス、メガネチェーン、上着留め、帽子留め、ネクタイ留めや飾り、ベルト・靴類・バック用具・衣類のアクセサリー、携帯ストラップ他携帯用アクセサリー、ペット用アクセサリー、ペット用ＩＤタグホルダー、ペット用品等、各種のアクセサリーや多種多様な多目的での利用も可能となる。【選択図】  図３
0003103751.tif 000002
【実用新案登録請求の範囲】
【請求項１】
ハンカチ、タオル、ナプキン類等他汚れ防止の役目をはたすことのできるものを把持し得る把持具１を、取りはずし交換ができる接続具３が接続された連結具２の両端に取り付けて構成された各種アクセサリーや多種多様な多目的での利用も可能となることを特徴とする衣類の汚れ防止用ホルダー。
【請求項２】
請求項１の衣類の防止用ホルダーの連結具１１に、取りはずし交換ができる接続具１２が接続されたもう１つの把持具１０を取り付けて構成され、また、取りはずし交換ができる接続具１２が接続された把持具どうし、または係止具１３との連結によって構成される各種アクセサリーや多種多様な多目的での利用も可能となることを特徴とする衣類の汚れ防止用ホルダー。
【請求項３】
取りはずし交換ができる接続具２２が接続された連結具２１の両端に、把持具２０を取り付けて構成され、また一方の把持具を係止具２３に変えての構成もされる各種アクセサリーや多種多様な多目的での利用も可能となることを特徴とする衣類の汚れ防止用ホルダー。
【考案の詳細な説明】
【技術分野】
【０００１】  この考案は衣類の汚れを防ぐための各種アクセサリーや多種多様な多目的での利用も可能となる衣類の汚れ防止用ホルダーに関するものである。
【背景技術】
【０００２】  従来、食事時等の衣類を汚れから防ぐものとしては首部に装着部分のある前掛けや、ナプキン類等汚れ防止に利用できるものをひざの上に敷いて使用していた。また、特許文献１などのハンカチーフクリップも考案されている。（本考案において、「ナプキン機能のあるもの」とは、ナプキン、ハンカチ、タオル、紙等汚れ防止に利用できるすべてのものである。）しかしながら、上記の前掛け等は、外出先では見た目にも使用するのに遠慮してしまう。また、食事中の衣類の汚れ防止のために、ナプキン機能のあるものを胸腹部上の適正位置で保持使用することが困難であった。そのため、常に衣類の汚れの心配があった。
【特許文献１】    実開平５−２０６０８号公報
【考案の開示】
【考案が解決しようとする課題】
【０００３】  本考案の課題は、いつでもどこでも、ナプキン機能のあるものを適正位置で保持使用することができるようにすることである。また、見た目にもオシャレなものとすることである。【０００４】  本考案の目的は、上記の課題に鑑み、いつでもどこでも、ナプキン機能のあるものを適正位置で保持使用することができ、見た目にもオシャレで、各種アクセサリーや多種多様な多目的での利用も可能な衣類の汚れ防止のためのホルダーを提供することにある。
【課題を解決するための手段】
【０００５】  本考案に係る衣類の汚れ防止用ホルダーは、上記の目的を達成するため、次のように構成される。【０００６】  第１のホルダー（請求項１に対応）は、把持具１を取りはずし交換ができる接続具３が接続された連結具２の両端に取り付けて構成される。【０００７】  第２のホルダー（請求項２に対応）は、請求項１の衣類の汚れ防止用ホルダーの連結具１１に、取りはずし交換ができる接続具１２が接続されたもう１つの把持具１０を取りつけて構成され、また、取りはずし交換ができる接続具１２が接続された把持具１０どうし、または係止具１３との連結によっても構成される。【０００８】  第３のホルダー（請求項３に対応）は、取りはずし交換ができる接続具２２が接続された連結具２１の両端に、把持具２０を取りつけて構成され、また一方の把持具を係止具２３に変えての構成もされる。
【考案の効果】
【０００９】  本考案によれば、取り外し交換可能な把持具を設けて構成されたことにより、いつでもどこでも、ハンカチ、タオル、ナプキン類等他衣類の汚れを防ぐことのできるものを利用して希望する場所へ保持装着することが可能であり、見た目もオシャレなので、従来の前掛けのように使用に遠慮することもなく利用して衣類の汚れを防ぐことができるという効果がある。また、汚れ防止以外に各種アクセサリーや多種多様な多目的での利用も可能であるために便利である。さらに長期間の使用および共用も可能である。
【考案を実施するための最良の形態】
【００１０】  以下に、本考案の好適な実施形態（実施例）を添付図面に基づいて説明する。【００１１】  本考案の第１のホルダーは、連結具２を首にかけて体の前でそれぞれの把持具にハンカチ、タオル、ナプキン類等他汚れ防止の役目をはたすことのできるものを挟んで、常に胸腹部上の適正な位置で保持使用される。【００１２】  本考案の第２のホルダーは、両端の２つの把持具をそれぞれ衣類の２ヶ所に挟んで、もう１つの把持具にはハンカチ、タオル、ナプキン類等他汚れ防止の役目をはたすことのできるものを挟んで希望する適正な位置で保持使用される。また、一方の把持具にハンカチ、タオル、ナプキン類等他汚れ防止の役目をはたすことのできるものを挟みもう一方の把持具を衣類の一部に挟んだり、また、この把持具を係止具に交換してネクタイピン、ボタン等係止できるところに取りつけて適正な位置で保持使用される。【００１３】  本考案の第３のホルダーは、一方の把持具にハンカチ、タオル、ナプキン類等他汚れ防止の役目をはたすことのできるものを挟みもう一方の把持具を衣類の一部に挟んだり、また、この把持具を係止具に交換してネクタイピン、ボタン等係止できるところに取りつけて適正な位置で保持使用される。
【実施例】
【００１４】  図１は、本考案の第１のホルダーの実施形態の斜視図、図２は図１に示すホルダーの側面図であり、図３は図１に示すホルダーの一部の使用例の斜視図である。【００１５】  本考案による第１のホルダーは、把持具１を取りはずし交換ができる接続具が接続された連結具２の両端に取りつけ、把持具にハンカチ、タオル、ナプキン類等汚れ防止の役目をはたすことのできるものを挟んでの衣類の汚れ防止用ホルダーとしての使用の他、そのままでも、または把持具部分を取り外し交換してネックレス、メガネチェーン、帽子留め、ネクタイ留め、ベルト・バック用具・靴類等のアクセサリー、携帯ストラップ他、携帯用アクセサリー、各種衣類用飾り、ペット用ＩＤタグホルダー他、ペット用アクセサリー、ペット用品等、その他の各種アクセサリーや多種多様な多目的での利用も可能となる。【００１６】  図４は、本考案の第２のホルダーの実施形態の斜視図、図５は図４に示すホルダーの側面図であり、図６は図４に示すホルダーの使用例の斜視図である。【００１７】  本考案による第２のホルダーは、把持具１０を連結具１１の両端と他１ヶ所に取り外し交換が可能となる接続具１２で取りつけ、両端部分の把持具を衣類の２ヶ所を挟み他１つの把持具を、ハンカチ、タオル、ナプキン類等他汚れの役目をはたすことのできるものを挟んで衣類の汚れ防止用ホルダーとしての使用の他、そのままでも、または、把持具部分を取り外し交換してネックレス類等や他アクセサリーとしたり、ひざ掛け留め、上着留め、衣類、ベルト、バッグ、靴類等の飾りとしての利用も可能となる。また、取りはずし交換可能な接続具が接続された把持具は、その把持具どうしの連結や係止具との連結によって一方を汚れ防止の役目をはたすことのできるものをはさみ、もう一方を衣類またはネクタイピン、ボタン等係止できるところに取りつけて衣類の汚れ防止用ホルダーとしての使用の他、ネクタイピンや飾りとしての利用も可能となる。【００１８】  図７は、本考案による第３のホルダーの実施形態の斜視図、図８は図７、図４に示すホルダーの使用例の斜視図である。【００１９】  本考案による第３のホルダーは、取りはずし交換ができる接続具２２が接続された連結具２１の両端に取り付けられた把持具２０の片方を衣類に挟み、また、片方にハンカチ、タオル、ナプキン類等、汚れ防止の役目をはたすことのできるものを挟んでの使用や、片方の把持具を係止具２２に交換して、ネクタイピン、ボタン等の係止できるところに取りつけて衣類の汚れ防止用ホルダーとしての使用の他、ネクタイ留めや、その他ネクタイ用アクセサリーや衣類の飾り、リード留め他、ペット用品等としての利用も可能となる。
【産業上の利用可能性】
【００２０】  本考案は、衣類の汚れ防止用ホルダーとしての利用の他、各種アクセサリーや本考案の機能を利用して、使う者のそれぞれの使い方により多種多様な多目的での利用用途が可能となる。
【図面の簡単な説明】
【００２１】
【図１】  本考案の第１のホルダーの実施形態の斜視図である。
【図２】  図１に示すホルダーの側面図である。
【図３】  図１に示す示すホルダーの使用例の斜視図である。
【図４】  本考案の第２のホルダーの実施形態の斜視図である。
【図５】  図４に示すホルダーの側面図である。
【図６】  図４に示すホルダーの使用例の斜視図である。
【図７】  本考案の第３のホルダーの実施形態の斜視図である。
【図８】  図７に示すホルダーの使用例の斜視図である。
【符号の説明】
【００２２】  １      把持具
２      連結具
３      接続具
１０    把持具
１１    連結具
１２    接続具
１３    係止具
２０    把持具
２１    連結具
２２    接続具
２３    係止具
【図１】
0003103751.tif 000003
【図２】
0003103751.tif 000004
【図３】
0003103751.tif 000005
【図４】
0003103751.tif 000006
【図５】
0003103751.tif 000007
【図６】
0003103751.tif 000008
【図７】
0003103751.tif 000009
【図８】
0003103751.tif 000010